(57)【要約】【課題】一般に操作盤は袖壁に配置されている関係から、かご室の前部コーナーに位置するためスペースが狭隘で複数の作業者で同時に保守作業できないといった課題があった。【解決手段】エレベータかご操作盤の上下にガイドレール１４ｂとガイド板１４ｃ等からなるスライド機構を備え、操作盤をスライド機構により出入り口方向へスライドさせられるようにして、スライド後に操作盤の表板（袖壁）４を回転軸４ｃ等を含むヒンジ機構により開放し、広い作業スペースを確保して複数の保守作業者１８が同時に保守作業できるように構成した。【選択図】図４
2009096618.tif 000002
【特許請求の範囲】
【請求項１】
エレベータかご内に配置されたエレベータかご操作盤装置であって
本体と、
前記本体の前面を覆う表板と、
前記本体及び前記表板とを水平方向にスライドさせるためのスライド機構とを有することを特徴とするエレベータかご操作盤装置。
【請求項２】
前記表板は、
前記本体の両側部のうちの前記スライド機構によるスライド方向側の側部においてヒンジ機構により前記本体に回動可能に取り付けられ、
前記スライド機構により前記本体と前記表板とがスライドした後に、前記表板を回動させて、前記表板を前記本体の前面から離すことが可能な請求項１に記載のエレベータかご操作盤装置。
【請求項３】
前記スライド機構は、
前記本体の上部及び下部に備えられたガイド板と、前記ガイド板をスライドさせるガイドレールとを有することを特徴とする請求項１又は２に記載のエレベータかご操作盤装置。
【請求項４】
前記エレベータかご操作盤装置は、
エレベータの戸の隣に配置され、
前記スライド機構は、
前記本体及び前記表板とを前記エレベータの戸の方向にスライドさせることを特徴とする請求項１〜３のいずれかに記載のエレベータかご操作盤装置。
【請求項５】
前記表板は、
前記本体の両側部のうちの前記エレベータの戸側の側部においてヒンジ機構により前記本体に回動可能に取り付けられ、
前記スライド機構により前記本体と前記表板とがスライドした後に、前記表板を前記エレベータの戸の方向に回動させて、前記表板を前記本体の前面から離すことが可能な請求項４に記載のエレベータかご操作盤装置。
【請求項６】
前記エレベータかご操作盤装置は、更に、
施錠により前記本体をエレベータの天井部及び床面部の少なくともいずれかに固定し、開錠により前記本体の固定を解除して前記スライド機構によるスライドを可能とする鍵付きロック装置を有することを特徴とする請求項１〜５のいずれかに記載のエレベータかご操作盤装置。
【請求項７】
前記エレベータかご操作盤装置は、更に、
エレベータを保守運転に切り替えるための保守運転切り替えスイッチを有し、
前記鍵付きロック装置は、
開錠時に鍵の回動に連動して回動して前記保守運転切り替えスイッチをオンにするカムを有することを特徴とする請求項６に記載のエレベータかご操作盤装置。
【発明の詳細な説明】
【技術分野】
【０００１】
この発明は、エレベータのかご操作盤を保守点検し易いようにする技術である。
【背景技術】
【０００２】
従来のエレベータかご操作盤においては、操作盤ケースをかご室壁の開口部の側面の縦補強にボルト固定して表板を化粧ネジで前記縦補強に止めたものがある。点検の場合は表板の化粧ネジを外し内部を点検する（特許文献１参照）。
また操作盤の表板を鍵で外し開閉できるようにしたものがある（特許文献２参照）。
また操作盤取付部分の袖壁を操作盤の表板と兼用して操作盤のケースを固定して袖壁兼用の表板のみ開閉方式としたものがある（特許文献３参照）。
【特許文献１】特開昭６１−２９１３８５号公報
【特許文献２】特開２００３−１６０２８８号公報
【特許文献３】特開昭６３−１７３１６７号公報
【発明の開示】
【発明が解決しようとする課題】
【０００３】
特許文献１のものにおいては、表板とケース内の機器と配線で繋げられているため１人が表板を支えて点検する必要があるといった問題がある。また、配線を長くすると配線を内部機器の隙間に納め難いといった課題がある。
特許文献２及び特許文献３においては、表板を開閉することで表板を支えることから開放されるが、袖壁がかご室前部コーナーに位置するためスペースが狭く表板を大きく開放することができない、また側面に手摺などがあるとさらに表板を開放する角度が規制され作業スペースが小さく１人での作業となるといった課題がある。
【０００４】
図８〜図１０は、特に特許文献２及び特許文献３に記載の方式の課題を説明するための図である。
図８は、従来のかご室の袖壁と操作盤を示す斜視図であり、図９は従来の操作盤を開いて保守作業員が点検している状態を示す図であり、図１０は従来の操作盤を開いた状態を上方から示す図である。
図８〜図１０において、５００はエレベータかご操作盤装置、１はかご室前板、２はかご室天井、３はかご室側面壁、４ｂはシール材、１２はかごの戸、１３は手摺、１５は幅木、１６は床面、１７は敷居、１８は保守作業者、１９は出入り口柱、２０ａはツナギ板、２１は表板（袖壁）、２１ｂは操作盤ケース、２２はヒンジである。
【０００５】
図１０に示されるように、従来のエレベータかご操作盤装置５００は、ヒンジ２２により表板（袖壁）２１を開いて、操作盤内部の保守点検が可能であるが、袖壁がかご室前部コーナーに位置するためスペースが狭く表板を大きく開放することができない。また側面の手摺１３が障害となり、表板２１を開放する角度が大きく制限されてしまう。
このため、図９に示されるように、１人の保守作業者１８がかろうじて作業できる程度のスペースしか確保できず、保守作業者１８は狭いスペースでの作業を余儀なくされ、効率的に作業を進めることが困難である。
また、このように作業スペースが狭いため、２人以上の保守作業者１８が同時に作業することができない。
このように、従来技術では、作業スペースの制約が作業効率の向上を阻害しているという課題がある。
【０００６】
この発明は、上記のような課題を解決することを主な目的の一つとしており、複数の作業者が同時に内部機器を点検することができ、保守点検作業の作業効率を向上させることができるエレベータかご操作盤装置を実現することを主な目的とする。
【課題を解決するための手段】
【０００７】
本発明に係るエレベータかご操作盤装置は、
エレベータかご内に配置されたエレベータかご操作盤装置であって、
本体と、
前記本体の前面を覆う表板と、
前記本体及び前記表板とを水平方向にスライドさせるためのスライド機構とを有することを特徴とする。
【発明の効果】
【０００８】
本発明によれば、操作盤をスライドさせることで側面壁から離せるため、操作盤の表板と兼用の袖壁を大きな角度で開くことが可能となり複数の作業者が同時に内部機器を点検することができるようになり保守点検作業の作業効率を向上させることが可能となる。
【発明を実施するための最良の形態】
【０００９】
以下、この発明の実施の形態を図に基づいて説明するが、各図において、同一または相当の部材、部位については、同一符号を付して説明する。
【００１０】
実施の形態１．
本実施の形態では、袖壁一体式の操作盤の上下にスライドガイド装置を備え袖壁ごと出入り口方向へスライドさせた後、袖壁を開くように構成している。
【００１１】
図１は、本実施の形態に係るかご室の袖壁と操作盤を示す斜視図、図２は図１の袖壁の上方からの断面図、図３は図２の袖壁を点検のため出入り口方向にスライドさせた状態を示す図、図４は、スライドし終えた袖壁を開き点検作業が行われている状態を示す図、図５は図１の操作盤の側面図と正面図、図６は袖壁下端のスライドガイド部の詳細断面図、図７は図１の透視斜視図である。
【００１２】
図において、１００はエレベータかご操作盤装置、２００はエレベータかご、１はかご室前板、２はかご室天井、３はかご室側面壁、４は表板（袖壁）、４ａは操作盤ケース、４ｂはシール材、４ｃは回転軸、４ｄは軸支え金具、４ｅははずれ止ダボ、５はインタホーン、６は名板、７は階称表示、８は操作ボタン、９はスイッチカバー、１０は鍵穴、１０ａはリンク、１０ｂはロッド、１０ｃはロッド、１０ｄはロッドガイド、１０ｅはロッド固定穴、１０ｆはピン、１０ｈはカム、１０ｋは保守運転切り替えスイッチ、１０ｇは鍵、１１は位置表示器、１２はかごの戸、１３は手摺、１４はスライド機構、１４ｂはガイドレール、１４ｃはガイド板、１４ｄはガイド押え板、１５ａは幅木（前面）、１５ｂは幅木（側面）、１５ｃは幅木上面、１６は床面、１７は敷居、１８は保守作業者、３００は本体、４００は鍵付きロック装置である。
【００１３】
例えば図１に示すように、本実施の形態に係るエレベータかご操作盤装置１００（以下、単に操作盤１００ともいう）は、エレベータかご２００内の前面において戸１２の隣に配置され、戸１２と側面壁３に挟まれる形で設置されている。
【００１４】
本実施の形態に係る操作盤１００は、大きく分けると、例えば図７に示すように、操作盤ケース４ａと内部構造７ａが含まれる本体３００と、本体３００の前面を覆う表板（袖壁）４と、本体３００及び表板（袖壁）４とを水平方向（戸１２の方向）にスライドさせるためのスライド機構１４と、表板（袖壁）４を回動させて表板（袖壁）４を本体３００の前面から離すことが可能なヒンジ機構（回転軸４ｃ、軸支え金具４ｄ、はずれ止ダボ４ｅ）と、施錠により本体３００を固定し、開錠により本体３００の固定を解除してスライド機構１４によるスライドを可能とする鍵付きロック装置４００から構成される。
【００１５】
スライド機構１４は、例えば図５及び図６に示すように、袖壁一体形の操作盤ケース４ａの下面にガイド板１４ｃとガイド板１４ｃをスライドさせるガイドレール１４ｂとガイド押え板１４ｄで構成したガイド装置を備えている。同様なガイド装置を操作盤ケース４ａの上面にも備える。
スライド機構１４において、操作盤ケース４ａに取り付けられているガイド板１４ｃが、ガイドレール１４ｂに沿ってスライドすることにより、本体３００及び表板（袖壁）４が水平方向にスライドする。
【００１６】
また、ヒンジ機構は、例えば図２〜図４に示されるように、本体３００の両側部のうちの戸１２側の側部に配置され、鍵付きロック装置４００のリンク１０ａとロッド１０ｂ、１０ｃが開放され、本体３００と表板（袖壁）４がスライドした後に、表板（袖壁）４を戸１２の方向に回動させて表板（袖壁）４を本体３００の前面から離す構造になっている。ヒンジ機構には、回転軸４ｃ、軸支え金具４ｄ、はずれ止ダボ４ｅが含まれる。
【００１７】
鍵付きロック装置４００は、本体３００の固定と表板（袖壁）４の開放阻止のための機構である。
鍵付きロック装置４００は、例えば図５に示されるように、操作盤の表板（袖壁）４の中央高さに鍵穴１０付きのリンク１０ａを備え、リンク１０ａの両端に本体３００の固定と表板（袖壁）４の開放阻止のロッド１０ｂ、１０ｃを設け、ロッド１０ｂ、１０ｃをガイドするロッドガイド１０ｄを備え、幅木（前面）１５ａと天井２にロッド固定穴１０ｅがあり、施錠時にはロッド先端が嵌って固定されている。
このように施錠時には、ロッド１０ｂ及びロッド１０ｃがそれぞれ上下のロッド固定穴１０ｅに嵌って本体３００をエレベータの天井部及び床面部に固定し、更に表板（袖壁）４の開放を阻止している。そして、鍵１０ｇを鍵穴１０に挿入して開錠した際には、ロッド１０ｂ及びロッド１０ｃがそれぞれ上下のロッド固定穴１０ｅから外れ、本体３００の固定を解除してスライド機構１４によるスライドを可能とし、また、ヒンジ機構による表板（袖壁）４の開放を可能とする。
また、リンク１０ａの近傍に保守運転切り替えスイッチ１０ｋが配置されている。この保守運転切り替えスイッチ１０ｋは、エレベータを保守運転に切り替えるためのスイッチである。
そして、リンク１０ａにはカム１０ｈが存在しており、開錠時に鍵１０ｇの回動に連動してリンク１０ａが回動し、カム１０ｈが保守運転切り替えスイッチ１０ｋに接触することにより保守運転切り替えスイッチ１０ｋをオンにする。
このため、保守作業開始時に、保守作業者１８が開錠のために鍵１０ｇを鍵穴１０に挿入して回転させれば、リンク１０ａの回動及びカム１０ｈの接触により保守運転切り替えスイッチ１０ｋがオンになり、自動的にエレベータを保守運転に切り替えることができる。
【００１８】
次に、本実施の形態に係る操作盤１００の動作について説明する。
【００１９】
通常時は、表板（袖壁）４は鍵付きロック装置４００のリンク１０ａとロッド１０ｂ、１０ｃにより定位置に固定されて開放できない。
エレベータ保守のため操作盤１００の表板（袖壁）４を開放する場合は、保守作業者１８の持つ専用鍵１０ｇで操作盤１００の鍵穴１０よりリンク１０ａを回転させるとロッド１０ｂ、１０ｃが引込みロッド先端のロッド固定穴１０ｅからロッド１０ｂ、１０ｃが外れ操作盤１００（本体３００及び表板（袖壁）４）がスライド可能となる。
同時に表板（袖壁）４も開放可能となる。
しかし、表板（袖壁）４は側面壁にラップしているので開放はできない（図２）。
このため、まず本体３００及び表板（袖壁）４を戸１２方向にスライドさせて側面壁から離し（図３）、表板（袖壁）４を開放する（図４）。
このため、図４に示すように、表板（袖壁）４を開放する角度を大きく取れ、作業スペースを広く確保でき、複数の保守作業者１８が同時に作業することができる。
なお、図２〜４に示すように、敷居１７において戸１２の前面と床面１６との間に所定の隙間部分があるので、図４のように表板（袖壁）４の開放において表板（袖壁）４の一部が敷居１７側に飛び出ても、戸１２と床面１６との間の隙間部分に収まり、表板（袖壁）４の開閉はスムーズに行うことができる。
【００２０】
なお、リンク１０ａは鍵１０ｇが挿入されている間は開錠時の傾いた状態を維持することができ、開錠によりロッド固定穴１０ｅから外れたロッド１０ｂ、１０ｃは引っ込んだ状態を維持することができ（ロッド１０ｃの先端が天井側のロッド固定穴１０ｅよりも低い位置にある状態を維持することができ、ロッド１０ｂの先端が床側のロッド固定穴１０ｅよりも高い位置にある状態を維持することができ）、本体３００及び表板（袖壁）４）のスライドの際にロッド１０ｂ、１０ｃが邪魔になることはない。
【００２１】
また、リンク１０ａを鍵１０ｇで回転させ、操作盤１００開放状態にすると保守運転切り替えスイッチ１０ｋが作動しエレベータを自動で保守運転状態に切り替え、保守作業時の安全を確保する。
【００２２】
このように、本実施の形態に係るエレベータかご操作盤装置は、以上説明したように構成されているので、操作盤をスライドさせた後表板を開放できるので操作盤の作業スペースを広く確保でき、必要なら複数の作業者が同時に作業できるので保守作業時間を短縮することができ、作業効率を向上させることができる。
【００２３】
以上、本実施の形態では、操作盤を袖壁一体に構成し開けられるものにおいて袖壁にスライドガイド装置と鍵付きロック装置を備えたエレベータかご操作盤装置について説明した。
【００２４】
また、本実施の形態では、前記操作盤のスライドガイド装置は下面と上面にレールとガイド板と押え板を備えた構成であるエレベータかご操作盤装置について説明した。
【００２５】
また、本実施の形態では、前記鍵付きロック装置は鍵穴と鍵と軸とリングとロッドと支え金具とを備え下面の幅木または床面、及び上面の天井に前記ロッドの嵌り穴を備えたエレベータかご操作盤装置について説明した。
【００２６】
また、本実施の形態では、前記操作盤はかごの出入り口方向戸にスライドさせ表板（袖壁）を開閉できるエレベータかご操作盤装置について説明した。
【００２７】
また、本実施の形態では、前記鍵穴付きロック装置は開放すると保守運転切り替えスイッチが入り自動でエレベータの保守運転に切り替えられるエレベータかご操作盤装置について説明した。
【図面の簡単な説明】
【００２８】
【図１】実施の形態１に係るかご室の袖壁と操作盤を示す斜視図。
【図２】図１の袖壁の断面図。
【図３】袖壁を点検のため出入り口方向にスライドさせた状態を示す図。
【図４】スライドし終えた袖壁を開き点検作業が行われている状態を示す図。
【図５】図１の操作盤の側面図と正面図。
【図６】袖壁下端のスライドガイド部の詳細断面図。
【図７】図７の透視斜視図。
【図８】従来の袖壁を保守のため開くことができる操作盤を備えたかご室斜視図。
【図９】図８の袖壁の操作盤を開いた作業図。
【図１０】図９の操作盤断面図。
【符号の説明】
【００２９】
１  かご室前板、２  かご室天井、３  かご室側面壁、４  表板（袖壁）、４ａ  操作盤ケース、４ｂ  シール材、４ｃ  回転軸、４ｄ  軸支え金具、４ｅ  はずれ止ダボ、５  インタホーン、６  名板、７  階称表示、７ａ  内部構造、８  操作ボタン、９  スイッチカバー、１０  鍵穴、１０ａ  リンク、１０ｂ  ロッド、１０ｃ  ロッド、１０ｄ  ロッドガイド、１０ｅ  ロッド固定穴、１０ｆ  ピン、１０ｈ  カム、１０ｋ  保守運転切り替えスイッチ、１１  位置表示器、１２  かごの戸、１３  手摺、１４  スライド機構、１４ｂ  ガイドレール、１４ｃ  ガイド板、１４ｄ  ガイド押え板、１５ａ  幅木（前面）、１５ｂ  幅木（側面）、１５ｃ  幅木上面、１６  床面、１７  敷居、１８  保守作業者、１９  出入り口柱、２０ａ  ツナギ板、２１ｂ  表板（袖壁）、２２  ヒンジ、１００  エレベータかご操作盤装置、２００  エレベータかご、３００  本体、４００  鍵付きロック装置、５００  エレベータかご操作盤装置。
【図１】
2009096618.tif 000003
【図２】
2009096618.tif 000004
【図３】
2009096618.tif 000005
【図４】
2009096618.tif 000006
【図５】
2009096618.tif 000007
【図６】
2009096618.tif 000008
【図７】
2009096618.tif 000009
【図８】
2009096618.tif 000010
【図９】
2009096618.tif 000011
【図１０】
2009096618.tif 000012